(57)【要約】【課題】パレットにおいて、軽量で且つ重量物を載せられる充分な強度と表面耐久性を有し、しかも製造できる形状等の制約を少なくする。【解決手段】パレット１は、発泡樹脂製の板状のパレット本体２と、パレット本体２の下面に設けられる複数の桁体３と、を備える。また、パレット１の全面に真空一体成形された樹脂シート４を更に備える。パレット本体２及び桁体３は、夫々別体として成型され、樹脂シート４で覆われることにより互いに密着保持される。この構成によれば、パレット本体２が発泡樹脂製なので、軽量であり、また、樹脂シート４が真空一体成形されているので、表面耐久性を得ることができる。また、桁体３がパレット本体２とは別体なので、パレット本体２を共有しつつ、複数種の桁体３を適宜に採用することで、パレット１の形状等の制約を少なくすることができる。【選択図】図１
2019112067.tif 000002
【特許請求の範囲】
【請求項１】
発泡樹脂製の板状のパレット本体と、前記パレット本体の下面に設けられる複数の桁体と、を備えたパレットであって、
前記パレットの全面に真空一体成形された樹脂シートを更に備え、
前記パレット本体及び桁体は、夫々別体として成型され、前記樹脂シートで覆われることにより互いに密着保持されることを特徴とするパレット。
【請求項２】
前記パレット本体及び樹脂シートは、いずれも同じ樹脂材料により形成されていることを特徴とする請求項１に記載のパレット。
【請求項３】
前記樹脂シートは、染色又は色彩が施されていることを特徴とする請求項１又は請求項２に記載のパレット。
【請求項４】
前記パレット本体と前記桁体とは、互いに嵌合するための嵌合構造を有することを特徴とする請求項１乃至請求項３のいずれか一項に記載のパレット。
【請求項５】
前記パレット本体の上面に設けられる枠体を更に備え、
前記パレット本体及び枠体は、夫々別体として成型され、前記樹脂シートで覆われることにより互いに密着保持されることを特徴とする請求項１乃至請求項４のいずれか一項に記載のパレット。
【請求項６】
前記パレット本体の上面を補強する補強材を更に備え、
前記パレット本体の上面には、前記補強材が埋め込まれる凹部が形成され、
前記補強材は、前記樹脂シートで覆われることにより前記凹部に埋め込まれた状態で密着保持されることを特徴とする請求項１乃至請求項５のいずれか一項に記載のパレット。
【請求項７】
前記補強材は、前記パレット本体及び樹脂シートと同じ樹脂材料により形成されていることを特徴とする請求項６に記載のパレット。
【請求項８】
前記補強材は、木材、樹脂材又は金属材であることを特徴とする請求項６又は請求項７に記載のパレット。
【発明の詳細な説明】
【技術分野】
【０００１】
本発明は、フォークリフトやハンドリフト等を用いた荷物の運搬に使用され、発泡スチロール等の発泡樹脂製のパレットに関する。
【背景技術】
【０００２】
従来から、フォークリフトやハンドリフト等によって荷物を運搬する際の荷台として、各種のパレットが広く使用されている。例えば、物流の現場等におけるフォークリフト等による荷物の運搬時には、パレットの載置面に荷物が積載され、パレットの側面のフォーク差し込み口にフォークリフト等のフォークが差し込まれ、パレットが所定高さ位置まで揚上される。そして、フォークリフト等を運転して目的地までパレットを搬送した後に、フォークを下降させ、パレットが目的地に置かれた後に、フォーク差し込み口からフォークが抜き取られる。
【０００３】
一般的なパレットとして、木製、プラスチック製、金属製（鉄合金）又は紙製のものが知られている。しかしながら、一般的なパレットの多くは、例えば、木製パレットでも１０ｋｇ以上の重量があり、紙製パレットも、プラスチック製や金属製に比べて軽いとはいえ、形状安定性を確保するために高密度で圧縮加工されており、かなりの重量がある。人の出入りが多い市場等では、ハンドリフトが使われることも多く、また、近年では、ロボットアームにより自動的に荷物の搬入、分別、ピッキング等が行われるロボット倉庫でも、パレットが用いられており、ロボットアームによる搬送効率を向上させるために、パレットの軽量化がより求められている。そこで、紙製パレットよりも更に軽量なパレットとして、発泡樹脂製のパレットが知られている（特許文献１参照）。
【先行技術文献】
【特許文献】
【０００４】
【特許文献１】特開２００３−７２７５４号公報
【発明の概要】
【発明が解決しようとする課題】
【０００５】
しかしながら、発泡樹脂製のパレットは、木製やプラスチック製のパレットに比べて、重量物を載せるための強度が十分とは言えず、また、その表面が荒れやすい問題があった。また、発泡樹脂成型体は、一般的に金型成型されるところ、パレットは比較的サイズの大きな成型体であり、例えば、フォーク差し込み口の大きさや形状が異なる複数種のパレットを製造するには、種類毎に大型の金型が必要となるので、製造コストの合理性を考慮すると、製造できる形状や材質等が制限される。
【０００６】
本発明は、上記課題に鑑みてなされたものであり、軽量で且つ重量物を載せられる充分な強度と表面耐久性を有し、しかも製造できる形状等の制約が少ないパレットを提供することを目的とする。
【課題を解決するための手段】
【０００７】
上記課題を解決するため、本発明は、発泡樹脂製の板状のパレット本体と、前記パレット本体の下面に設けられる複数の桁体と、を備えたパレットであって、前記パレットの全面に真空一体成形された樹脂シートを更に備え、前記パレット本体及び桁体は、夫々別体として成型され、前記樹脂シートで覆われることにより互いに密着保持されることを特徴とする。
【０００８】
上記パレットにおいて、前記パレット本体及び樹脂シートは、いずれも同じ樹脂材料により形成されていることが好ましい。
【０００９】
上記パレットにおいて、前記樹脂シートは、染色又は色彩が施されていることが好ましい。
【００１０】
上記パレットにおいて、前記パレット本体と前記桁体とは、互いに嵌合するための嵌合構造を有することが好ましい。
【００１１】
上記パレットにおいて、前記パレット本体の下面に設けられる枠体を更に備え、前記パレット本体及び枠体は、夫々別体として成型され、前記樹脂シートで覆われることにより互いに密着保持されることが好ましい。
【００１２】
上記パレットにおいて、前記パレット本体の上面を補強する補強材を更に備え、前記パレット本体の上面には、前記補強材が埋め込まれる凹部が形成され、前記補強材は、前記樹脂シートで覆われることにより前記凹部に埋め込まれた状態で密着保持されることが好ましい。
【００１３】
上記パレットにおいて、前記補強材は、前記パレット本体及び樹脂シートと同じ樹脂材料により形成されていることが好ましい。
【００１４】
上記パレットにおいて、前記補強材は、木材、樹脂材又は金属材であることが好ましい。
【発明の効果】
【００１５】
本発明に係るパレットによれば、主体を成すパレット本体が発泡樹脂製なので、軽量であり、また、樹脂シートが真空一体成形されているので、パレット本体を成す発泡樹脂に比べて、表面耐久性を得ることができる。また、樹脂シートは、常温では硬化しており、パレットの全面に設けられているので、パレット自体の強度を、一定の重量物を載せられる強度に向上させることができる。また、桁体がパレット本体とは別体なので、パレット本体を共有しつつ、複数種の桁体を適宜に採用することで、用途に応じた複数種のパレット１を製造することができ、パレットの形状等の制約を少なくすることができる。
【図面の簡単な説明】
【００１６】
【図１】（ａ）本発明の第１の実施形態に係るパレットの平面を主とした斜視図、（ｂ）は底面を主とした斜視図。
【図２】（ａ）乃至（ｄ）は、同パレットのパレット上面への樹脂シートの真空成形の手順を説明するための図。
【図３】（ａ）乃至（ｄ）は、同パレットのパレット下面への樹脂シートの真空成形の手順を説明するための図。
【図４】（ａ）は同パレットの側断面図、（ｂ）は（ａ）の部分拡大断面図。
【図５】（ａ）（ｂ）は上記パレットにおいてパレット本体に取り付けされる桁体を変更した構成を示す斜視図。
【図６】（ａ）（ｂ）は上記実施形態の変形例に係るパレットにおいてパレット本体と桁体とを分離した構成を示す斜視図。
【図７】（ａ）乃至（ｆ）は本発明の第２の実施形態に係るパレットの作製手順と、その使用用途を説明するための図。
【図８】（ａ）乃至（ｆ）は上記実施形態の複数の変化例の構成とその使用用途を説明するための図。
【図９】（ａ）乃至（ｅ）は本発明の第３の実施形態に係るパレットの作製手順を説明するための図。
【図１０】（ａ）乃至（ｃ）は上記実施形態の変形例に係るパレットにおいてパレット本体に取り付けされる補強材を変更した構成を示す斜視図。
【発明を実施するための形態】
【００１７】
本発明の第１の実施形態に係るパレットについて、図１乃至図５を参照して説明する。図１に示すように、本実施形態のパレット１は、物流の現場等においてフォークリフトやハンドリフト等を用いた荷物の管理・運搬に好適に使用されるものであり、発泡樹脂製の板状のパレット本体２と、パレット本体２の下面に設けられる複数の桁体３と、を備える。また、パレット１は、その全面に真空一体成形された樹脂シート４を更に備える。
【００１８】
パレット本体２及び桁体３は、夫々別体として成型されている。パレット本体２を構成する材料は、例えば、ポリスチレン、ポリエチレン、ポリプロピレン等のポリオレフィン系樹脂といった発泡合成樹脂であり、本実施形態では、発泡ポリスチレン（ＥＰＳ(expanded polystyrene)）が用いられる。桁体３を構成する材料は、パレット本体２と同じであることが好ましいが、パレット本体２とは密度や硬さが異なるものが用いられてもよく、別の材料が用いられてもよい。
【００１９】
パレット本体２は、所定の肉厚を有し、平面視で矩形状の板状部材である。なお、パレット本体２の形状は、平面視で多角形状を含む各種の形状から適宜に選択され得る。パレット本体２は、荷物が積載される積載面となる上面２１と、複数（本実施形態では９個）の桁体３が設けられる下面２２と、上面２１及び下面２２を繋ぐ側面２３と、を有する。上面２１が下面２２の外形寸法は略等しく、各側面２３の角部は丸みを帯びるように面取りされている。
【００２０】
桁体３は、積載面となる上面２１の高さを嵩上げする支持部材であり、複数の桁体３が、隣り合う桁体３と所定間隔を空けて配置されることにより、フォークリフトのフォークが差し込まれるフォーク差し込み部１０を形成する。本実施形態の桁体３では、フォークリフトのフォークを４方から差し込み可能とすべく、その長手方向の長さがパレット本体２の一側面より短く、パレット本体２の下面２２の四隅、これら４隅の側部側の中間位置、及び下面２２の中心部に夫々設けられる。
【００２１】
桁体３は、パレット本体２に接合される接合面３１と、パレット１が載置される際に底面となる載置面３２と、接合面３１と載置面３２とを繋ぐ側面３３と、を有する。本実施形態の桁体３では、接合面３１及び載置面３２が平面視で矩形状であり、側面３３が４面あるブロック形状のものである。桁体３の接合面３１は、その下面側において肉抜き（軽量化）のための凹部３１ａ（後述する図４（ｂ）参照）が形成されている。また、桁体３の下面には、フォークリフトを用いた複数回の運搬による発泡スチロールの劣化や屑ごみの発生を防止するため、硬化性樹脂、木材、金属等から成るカバー等（不図示）が取り付けられてもよい。
【００２２】
桁体３は、接合面３１が載置面３２よりも僅かに大きくなるよう形成されており、各側面３３は、接合面３１から載置面３２に向けて僅かに先細りとなるように、僅かに傾斜している。また、各側面３３の角部及び側面３３と載置面３２との角部は丸みを帯びるように面取りされている。桁体３は、図示した形状に限らず、例えば、円柱形状、四角柱以外の多角柱形状であってもよい。側面３３は、積載面となる上面２１の嵩上げ量が所望の値となるように設定される。
【００２３】
樹脂シート４は、パレット本体２及び桁体３を、それらの接合箇所を除く全面を覆うように成形される。樹脂シート４は、加熱により軟化して変形する一方で、常温では硬化して、重量物を載せられる充分な強度と表面耐久性を有するシート部材である。本実施形態の樹脂シート４の材料には、パレット本体２と同じ樹脂材料が用いられることが好ましく、例えば、パレット本体２及び桁体３よりも高密度で非発泡材料であるポリスチレン（ＰＳ）が用いられる。
【００２４】
図２（ａ）乃至（ｄ）及び図３（ａ）乃至（ｄ）は、本実施形態のパレット１において、パレット本体２に樹脂シート４を一体真空形成する手順を示す。まず、図２（ａ）に示すように、所定形状に成型されたパレット本体２が用意される。パレット本体２の上面２１には、複数のパレット１を積載したときに、上段に載置されたパレット１の桁体３の位置に対応する位置に、滑り止め部２４が設けられている。また、パレット本体２には、上面２１から下面２２に貫通した通気口２５が形成されている（図２（ｂ）も参照）。
【００２５】
次に、図２（ｂ）に示すように、パレット本体２が、その上面２１を上にして真空容器６１の上面に載置され、その上に樹脂シート４が配置される。なお、図２（ｂ）では、説明の便宜上、染色を施した樹脂シート４を示しているが、樹脂シート４は透明であってもよく、パレット本体２と同じ白色であってもよい。図２（ｃ）に示すように、樹脂シート４の上方にはヒータ６２が配置されており、ヒータ６２が樹脂シート４を加熱して、樹脂シート４を軟化させる。真空容器６１には、内部空間と真空容器６１の上面側外部とを通じる吸引口（不図示）と、内部空間を減圧する減圧ポンプ６３とが設けられている。パレット本体２が載置された真空容器６１は、上方に移動可能となっており、パレット本体２をヒータ６２により軟化した樹脂シート４に密着させると共に、減圧ポンプ６３を作動させて通気口２５を介して、パレット本体２と樹脂シート４との間の空気を吸引し、樹脂シート４をパレット本体２に真空吸着させる。これにより、図２（ｄ）に示すように、パレット本体２の上面２１と側面２３とが樹脂シート４によって隙間なく覆われる。
【００２６】
続いて、図３（ａ）に示すように、パレット本体２の下面２２に、複数の桁体３が配置される。パレット本体２の下面２２には、滑り止め部２４と対峙する位置に、桁体３との接合部２６が設けられている。桁体３の接合面３１は、外側に僅かに広がった鍔部３１ｂを有し（後述する図４（ｂ）も参照）、パレット本体２の下面２２に設けられた接合部２６は、桁体３の鍔部３１ｂが嵌まり込むように、下面２２の表面から僅かに彫り込まれている。桁体３は、パレット本体２と同じ樹脂材料により構成される接着剤により仮固定されていてもよい。
【００２７】
次に、図３（ｂ）に示すように、桁体３が配置されたパレット本体２が、その下面２２を上にして真空容器６１の上面に載置され、その上に樹脂シート４が配置される。そして、図３（ｃ）に示すように、パレット本体２が載置された真空容器６１を、上方に移動させて、パレット本体２をヒータ６２により軟化した樹脂シート４に密着させると共に、減圧ポンプ６３を作動させて通気口２５を介して、樹脂シート４をパレット本体２に真空吸着させる。これにより、図３（ｄ）に示すように、パレット本体２の下面２２及び側面２３と、桁体３の載置面３２及び側面３３とが樹脂シート４によって隙間なく覆われる。
【００２８】
このようにして、図４（ａ）（ｂ）に示すように、本実施形態のパレット１は、夫々別体として成型されたパレット本体２及び桁体３が、樹脂シート４で覆われることにより互いに密着保持される。本実施形態のパレット１は、少なくとも主体を成すパレット本体２が発泡樹脂製なので、軽量であり、また、パレット１の全面に樹脂シート４が真空一体成形されているので、パレット本体２を成す発泡樹脂に比べて、表面耐久性を得ることができる。また、樹脂シート４は、常温では硬化しており、パレット本体２の側面２３といった鉛直面を含むパレット１の全面に設けられているので、パレット１自体の強度を、一定の重量物を載せられる強度に向上させることができる。なお、図４（ｂ）では、説明の便宜上、樹脂シート４の厚みを誇張して示している。
【００２９】
また、本実施形態のパレット１では、図４（ｂ）に示したように、パレット本体２の下面２２の接合部２６に、桁体３の鍔部３１ｂが嵌まり込み、各側面３３が僅かに傾斜しているので、下面２２と側面３３との成す隅部は直角よりも広くなっている。そのため、樹脂シート４で被覆された際に、それらの隅部に隙間が残存し難く、樹脂シート４がパレット本体２及び桁体３に対して密着保持される。
【００３０】
また、パレット本体２及び樹脂シート４は、いずれも同じ樹脂材料（本例ではポリスチレン）により形成されているので、パレット１の廃棄時にパレット本体２及び樹脂シート４を分別廃棄する必要がなく、廃棄の手間が少なく、リサイクルに適合した製品とすることができる。また、樹脂シート４は、パレット本体２に対して真空一体成形で密着保持されており、接着剤等によって接着されていないので、樹脂シート４を破ればパレット本体２にから容易に分離することもできる。桁体３もまた、パレット本体２及び樹脂シート４と同じ樹脂材料により形成することで、パレット１の廃棄を簡便にすることができる。また、桁体３は、パレット本体２とは別体であり、樹脂シート４で覆われることによりパレット本体２に密着保持されるので、樹脂シート４を破ればパレット本体２にから容易に分離することもできる。
【００３１】
本実施形態のパレット１は、桁体３がパレット本体２とは別体なので、桁体３には、形状や材質等が異なる複数種のものを適用することができる。例えば、図５（ａ）に示すように、桁体３として、上記の桁体３よりも高さが高い桁体３Ａが用いられてもよい。この桁体３Ａによれば、積載面となるパレット本体２の上面２１の嵩上げ量が大きくなり、フォーク差し込み部１０（図１参照）の開口を高さ方向に大きくすることができる。
【００３２】
また、例えば、図５（ｂ）に示すように、その長手方向の長さがパレット本体２の一側辺と同じである長ブロック形状の桁体３Ｂが用いられてもよい。この桁体３Ｂは、フォークリフトのフォークを２方から差し込み可能とすべく、３つの桁体３が所定の間隔を開けて並列配置される。
【００３３】
本実施形態のパレット１は、桁体３がパレット本体２とは別体なので、パレット本体２に対して、大きさや形状（又は材質）の異なる複数種の桁体３を適用し、それらを樹脂シート４で密着保持する。そして、桁体３は、比較的サイズの大きな成型体であるパレット本体２に比べてサイズが小さいので、小型の金型で成型することができる。従って、パレット本体２を共有しつつ、複数種の桁体３を適宜に採用することで、用途に応じた複数種のパレット１を製造することができ、パレット１の形状等の制約を少なくすることができる。
【００３４】
樹脂シート４は、染色又は色彩が施されていてもよい。染色又は色彩は、パレット１の種類や用途に応じて適宜に選択される。一般的に発泡合成樹脂製品は、白色である。発泡樹脂製のパレット本体２（桁体３）は、所定の厚みを有する３次元形状の部材なので、それらを有色にするには、多量の染料等が必要となる。また、パレットの外表面を塗装しただけでは、表面耐久性は変化しないので、外表面が損傷等して内部の色目が露呈すれば、見栄えが悪くなる。一方、樹脂シート４は、厚みが僅かな略２次元形状の部材なので、有色にするにも少量の染料等で足りる。従って、樹脂シート４に染色又は色彩を施すことで、効率的にパレット１の外観を有色にすることができる。また、樹脂シート４により、パレット１の表面耐久性が向上するので、外表面が損傷等し難くなり、長期にわたって見栄えの良い状態を維持することができる。また、樹脂シート４に色彩を施すことで、意匠的な見栄えが良くなり、パレット１を例えば棚等にも利用でき、顧客の目に触れる店頭に展示することもできるようになる。
【００３５】
上記実施形態の変形例について、図６を参照して説明する。本変形例のパレット１は、パレット本体２と桁体３とは、互いに嵌合するための嵌合構造を有するものである。具体的には、図６（ａ）に示すように、パレット本体２の下面２２には凹溝２２ａが形成され、桁体３の上面には凸条３１ｃが形成されている。この変形例では、図６（ｂ）に示すように、フォークリフトのフォークを４方から差し込み可能となっている。パレット本体２の下面２２の中心部に埋め込まれる桁体３は、カム構造等を有している。この構成においても、上記実施形態と同様の効果を奏すると共に、保管時に要するスペースを減少し、顧客の要望に応じてパレット１の構成をカスタマイズすることができる。
【００３６】
本発明の第２の実施形態に係るパレットについて、図７及び図８を参照して説明する。図７（ａ）乃至（ｆ）に示すように、本実施形態のパレット１は、パレット本体２の上面２１に設けられる枠体５を更に備えたものである。この枠体５は、パレット本体２とは別体として成型され、樹脂シート４で覆われることにより互いに密着保持される。具体的には、上記図３（ａ）乃至（ｄ）で示した手順により、パレット本体２の下面２２に桁体３が樹脂シート４により一体成形されたものが用意される（図７（ａ）参照）。
【００３７】
次に、図７（ｂ）に示すように、パレット本体２の上面に所定形状に成型された枠体５が配置される。枠体５は、桁体３と同様に、パレット本体２又は樹脂シート４と同じ樹脂材料（本例ではポリスチレン）により形成されていることが好ましい。そして、図７（ｃ）に示すように、その上方から樹脂シート４が被せられ、上記図２（ｃ）で説明した手順と同様にして、パレット本体２及び枠体５に樹脂シート４に密着させて、それらを真空一体成形する（図７（ｄ）参照）。図例の枠体５は、大型の筒状の荷物１０Ａに対応するように形成されている。この荷物１０Ａとしては、例えば、ドラム缶や電線を巻いたボビン等が挙げられる。
【００３８】
本実施形態の枠体５には、様々なバリエーションを挙げることができる。例えば、図８（ａ）（ｂ）は、上記図７（ｅ）（ｆ）の荷物１０Ａより小型の筒状の荷物１０Ｂを複数載せられるようにする枠体５Ｂを備えた変化例を示す。この荷物１０Ｂとしては、例えば、タイヤ、樽等が挙げられる。また、図８（ｃ）（ｄ）は、箱状の荷物１０Ｃを複数載せられるようにする枠体５Ｃを備えた変化例を示す。この荷物１０Ｃとしては、例えば、家電製品（薄型テレビ、パソコン）、組み立て家具等が挙げられる。更に、図８（ｅ）（ｆ）は、棒状の荷物１０Ｄを複数梱包できるようにする枠体５Ｄを備えた変化例を示す。この荷物１０Ｄとしては、サスペンションやギヤといった自動車部品等が挙げられる。この枠体５Ｄは、パレット１に部品トレイを一体化させたものである。
【００３９】
本実施形態によれば、様々な形状に形成された枠体５をパレット本体２の上面２１に配置して、それらを樹脂シート４で真空一体成形する一方で、パレット１の主たる構成であるパレット本体２及び桁体３に共通のものを用いるので、用途に応じた多様なパレット１を安価で製造することができる。
【００４０】
本発明の第３の実施形態に係るパレットについて、図９及び図１０を参照して説明する。図９（ａ）に示すように、本実施形態のパレット１は、パレット本体２の上面２１を補強する補強材７を更に備える。また、パレット本体２の上面２１には、補強材７が埋め込まれる凹部２７が形成されている。なお、ここでは、３本の桁体３が並列配置され、フォーク差し込み部１０が、フォークの差し込み方向の両側に開放しており、いわゆる２方差しが可能なパレット１の構成を示す。
【００４１】
本実施形態の凹部２７は、フォークリフトのフォークの差し込み方向（桁体３の長手方向）と略直交する方向で複数（図例では６か所）併設された凹溝である。凹溝の深さは、パレット本体２の肉厚と略同じであることが好ましい。こうすれば、フォークリフトを用いてパレット本体２の上面２１に載置された荷物を運搬する際に、フォークリフトのフォークが補強材７に直接接触し、補強材７に荷重がかかるので、パレット本体２の負荷が低減され、パレット１が軋み難くなり、荷物の重量を受けて破断することを防止することができる。また、凹部２７の凹溝の長手方向の両端部は、凹溝より幅広に形成されており、れにより、補強材７を凹部２７から着脱する際に作業者が指を凹部２７に差し入れ易く、作業性を向上させることができる。
【００４２】
補強材７は、細長い板形状の部材であり、所定強度以上の強度特性を有する材料から形成される。補強材７を構成する材料には、例えば、パレット本体２及び樹脂シート４と同じ樹脂材料（例えば、ＰＳ）であって、それらよりも高密度・高強度なものが用いられる。パレット１の廃棄時にパレット本体２、樹脂シート４及び補強材７を分別廃棄する必要がなく、廃棄の手間が少なく、リサイクルに適合した製品とすることができる。また、補強材７は、木材又は金属材であってもよい。木材は、材料の取得と所定形状への加工が容易である。また、金属は、パレット１の強度をより高めたいときに好適に用いられる。
【００４３】
次に、図９（ｂ）に示すように、補強材７が嵌め込まれたパレット本体２が、その上面２１を上にして真空容器６１の上面に載置され、その上に樹脂シート４が配置される。そして、上述の実施形態と同様の手順で樹脂シート４をパレット本体２の上面に真空吸着させる（不図示）。これにより、図９（ｃ）に示すように、パレット本体２の上面２１と側面２３とが樹脂シート４によって隙間なく覆われる。続いて、図９（ｄ）に示すように、パレット本体２の下面２２に、桁体３が配置される。そして、桁体３が配置されたパレット本体２が、真空容器に載置され、上述の実施形態と同様の手順で樹脂シート４をパレット本体２の下面に真空吸着させる（不図示）。図９（ｅ）に示すように、パレット本体２の下面２２及び側面２３と、桁体３の載置面３２及び側面３３とが樹脂シート４によって隙間なく覆われる。このとき、補強材７は、樹脂シート４で覆われることにより凹部２７に埋め込まれた状態で密着保持される。
【００４４】
このように、本実施形態のパレット１では、その全面に樹脂シート４を真空一体成形することで、夫々別体として成型されたパレット本体２、桁体３及び補強材７が、樹脂シート４で覆われることにより互いに密着保持される。そして、凹部２７に補強材７が埋め込まれることで、パレット１は、フォークリフトのフォークと直交するパレット１の左右方向の強度を上げることができる。また、補強材７は凹部２７に嵌め込まれた状態で樹脂シート４により保持されており、接着剤等により接着されていないので、樹脂シート４を破れば、凹部２７から容易に取り外すこともできる。従って、補強材７が、木材や金属といった非樹脂材料でも、パレット１の廃棄の際には、補強材７のみを容易に分別することができる。
【００４５】
上記実施形態の変形例について、図１０を参照して説明する。本変形例のパレット１は、金属製の補強材７が、パレット本体２の上面２１の概ね全域に設けられたものである。図１０（ａ）は、補強材７が金属メッシュ板７Ａであり、上面２１にはその周縁を除き、金属メッシュ板７Ａが嵌め込まれる凹部２７が形成された構成を示す。図１０（ｂ）は、補強材７が鉄線を格子状に配置した鉄筋７Ｂであり、上面２１には凹部２７として鉄筋７Ｂが格子状の溝が形成された構成を示す。図１０（ｃ）は、補強材７がパンチングボード７Ｃであり、上面２１にはその周縁を除き、パンチングボード７Ｃが嵌め込まれる凹部２７が形成された構成を示す。
【００４６】
例えば、パレット１上に凹凸のある重量物が載置されると、パレット本体２の上面２１に局所的に荷重が加わると、パレット本体２の上面２１は、樹脂シート４で覆われているとはいえ、局所的な凹みが生じるケースがある。そのようなケースが繰り返されると、パレット本体２の上面２１が凸凹になり、パレット１の耐久性が低下する。本変形例によれば、金属製の補強材７が、パレット本体２の上面２１の概ね全域に設けられているので、パレット本体２の上面２１に局所的に荷重が加わっても、凹みが生じ難く、パレット１の耐久性を向上させることができる。また、補強材７は、樹脂シート４（不図示）で覆われているので、パレット１に置かれた積載物に直接的には接触しない。従って、金属製の補強材７の表面の凹凸が、積載物に影響を及ぼすこともない。
【００４７】
なお、本発明は、上記実施の形態の構成に限られず、発明の趣旨を変更しない範囲で種々の変形が可能である。また、上記実施の形態においてはパレット１の構造をフォークリフトによる荷物の運搬に適用する例を説明したが、他の発泡合成樹脂製の構造物にも適用できることは言うまでもない。また、上記施形態のパレット１は、フォークリフトやハンドリフト等に好適に使用されるものを示したが、例えば、床置きタイプ又はパレット本体２の下面にキャスタを設けた移動タイプ等であってもよい。
【符号の説明】
【００４８】
１    パレット
２    パレット本体
２１    上面
２２    下面
２２ａ    凹溝（嵌合機構）
２７    凹部
３    桁体
３１ｃ    凸条（嵌合機構）
４    樹脂シート
５    枠体
７    補強材
【図１】
2019112067.tif 000003
【図２】
2019112067.tif 000004
【図３】
2019112067.tif 000005
【図４】
2019112067.tif 000006
【図５】
2019112067.tif 000007
【図６】
2019112067.tif 000008
【図７】
2019112067.tif 000009
【図８】
2019112067.tif 000010
【図９】
2019112067.tif 000011
【図１０】
2019112067.tif 000012